(57)【要約】【課題】使用時における電波の放射や受信特性の低下を抑制し且つアンテナを筐体に確実に固定した携帯無線機を提供する。【解決手段】筐体７を構成する外殻後部１２のボス１６に締結されるアンテナ８の延出部１７をヘリカルコイル軸線Ａに対して斜めに延ばし、携帯無線機使用時にヘリカルコイル９が利用者の頭部から離れるようにする。  また、アンテナ８の延出部１７にねじ挿入孔１８を斜めに穿設し、当該ねじ挿入孔１８に通したねじ１４を、ボス１６に仕込んであるナット１５に螺合して延出部１７を筐体７に押し付けるときに、アンテナ８をボス１６端面に沿わせながら筐体７の下端側へ向けて付勢する引き込み力が働くようにする。【選択図】図３
2006094255.tif 000002
【特許請求の範囲】
【請求項１】
ヘリカルコイルと、該ヘリカルコイルを保持するホルダとを有するアンテナと、平面視略矩形状をした筐体とを備え、前記ホルダには、前記ヘリカルコイルの軸線に対して斜めに延びる延出部と、該延出部に穿設されたねじ挿入孔を有すると共に、前記筐体には、その長手方向に対して斜めに開口して前記アンテナのホルダを収納する凹部と、前記筐体内に設けられたねじ穴を有するボスを備え、前記アンテナのホルダを前記凹部に挿入し、前記ボス端面に前記延出部を当接させた状態で、ねじを前記ねじ挿入孔に通して前記ねじ穴に螺合することで前記アンテナと前記筐体とを固定してなり、前記ねじ挿入孔は、その径を前記ねじ穴の径よりも大きくしてあることを特徴とする携帯無線機。
【請求項２】
前記ねじ挿入穴は、その軸線が前記ボスと当接する延出部の面に対して斜めに交差するように穿設すると共に、前記アンテナのホルダを前記凹部に収納し、前記ホルダの延出部を前記ボス端面に当接させたとき、前記ねじ挿入孔のボス側開口又はボスと反対側開口のうち延出部先端寄り部位が、前記ボスのねじ穴開口の内側に位置することを特徴とする請求項１に記載の携帯無線機。
【発明の詳細な説明】
【技術分野】
【０００１】
本発明は固定アンテナを有する携帯無線機に関するものである。
【背景技術】
【０００２】
図６は携帯無線機（携帯電話機）の一例を示すもので、スピーカが組み込んであるイヤーピース３１をはじめとして、通話用のマイクロホンや送信先番号を入力設定するためのキーなどを前面に備えた矩形板状の筐体３２と、当該筐体３２から上向きに突出する姿勢を呈したアンテナ３３を有している。
【０００３】
アンテナ３３は、電波を放射し且つ受信するエレメントとしてのヘリカルコイル３４と、当該ヘリカルコイル３４を保持して前記筐体３２に固定するためのホルダ３５と、前記ヘリカルコイル３４を覆うカバー３６により構成されている（例えば、特許文献１参照）。
【０００４】
ホルダ３５は導電性材料により形成され、ヘリカルコイル３４とは反対に下向きに突出する延出部３７を有し、当該延出部３７にねじ挿入孔３８を穿設している。
【０００５】
そして、ねじを延出部３７のねじ挿入孔３８に通したうえ、筐体３２内部に設けてあるボスのねじ穴に螺合することで、アンテナ３３が筐体３２の長手方向に突出するように固定している。
【特許文献１】特開２００４−２３４０７号公報
【発明の開示】
【発明が解決しようとする課題】
【０００６】
このような携帯無線機では、アンテナ３３が筐体３２に対して位置固定であるため、使用時にヘリカルコイル３４が利用者の頭部に近接し過ぎて、電波の放射や受信特性が低下することが懸念される。
【０００７】
これを解消するためには、ヘリカルコイル３４の軸線をアンテナ３３の先端に向けて筐体３２の背面Ｒ側へ傾け、使用時にアンテナ３３をできるだけ利用者の頭部に近接させないようにするなど対策を講じる必要がある。
【０００８】
ところが前記軸線を傾けるために、延出部３７が締結されるボス端面を斜めに形成する手法を採るとなると、筐体３２の製作が難しくなる。
【０００９】
また、ボス端面が斜めに形成されていると、ねじを螺合する際、ねじを斜めに保持した状態でしめつけなければならず、組み立て作業性が悪いといった課題もあった。
【００１０】
本発明は上述した実情に鑑みてなしたもので、使用時における電波の放射や受信特性の低下を抑制し且つアンテナの筺体への組み付け作業性に優れた携帯無線機を提供することを目的としている。
【課題を解決するための手段】
【００１１】
上記目的を達成するため、本発明は、ヘリカルコイルと、該ヘリカルコイルを保持するホルダとを有するアンテナと、平面視略矩形状をした筐体とを備え、前記ホルダには、前記ヘリカルコイルの軸線に対して斜めに延びる延出部と、該延出部に穿設されたねじ挿入孔を有すると共に、前記筐体には、その長手方向に対して斜めに開口して前記アンテナのホルダを収納する凹部と、前記筐体内に設けられたねじ穴を有するボスを備え、前記アンテナのホルダを前記凹部に挿入し、前記ボス端面に前記延出部を当接させた状態で、ねじを前記ねじ挿入孔に通して前記ねじ穴に螺合することで前記アンテナと前記筐体とを固定してなり、前記ねじ挿入孔は、その径を前記ねじ穴の径よりも大きくしている。
【００１２】
更に、前記ねじ挿入穴は、その軸線が前記ボスと当接する延出部の面に対して斜めに交差するように穿設すると共に、前記アンテナのホルダを前記凹部に収納し、前記ホルダの延出部を前記ボス端面に当接させたとき、前記ねじ挿入孔のボス側開口又はボスと反対側開口のうち延出部先端寄り部位が、前記ボスのねじ穴開口の内側に位置するようにしている。
【発明の効果】
【００１３】
本発明の携帯無線機によれば、下記のような優れた効果を奏し得る。
【００１４】
（１）携帯無線機使用時にアンテナが利用者の頭部から離れるようにしたので、電波の放射や受信特性の低下を抑制することができ、また、アンテナの延出部をヘリカルコイルの軸線に対して斜めに延ばしたので、筐体のボス端面を斜めにする必要がなく、且つねじ挿入孔の径をねじ穴の径より大きくしたことから、アンテナの筐体への取り付けを容易に行なえる。
【００１５】
（２）アンテナの延出部にねじ挿入孔を斜めに穿設し、ねじをねじ穴に螺合するときにボス端面に沿う方向への引き込み力が前記延出部に働くようにしたので、アンテナを筐体に確実に固定することができる。
【発明を実施するための最良の形態】
【００１６】
以下、本発明の実施の形態を図示例とともに説明する。
【００１７】
図１乃至図５は本発明の携帯無線機の一例を示すもので、送信先番号を入力設定するためのキー１、通話用のマイクロホン２、スピーカが組み込んであるイヤーピース３などを前面Ｆ側に備えた矩形板状の筐体７と、当該筐体７から上向きに突出する姿勢を呈したアンテナ８を有している。
【００１８】
アンテナ８は、ヘリカルコイル９と、当該ヘリカルコイル９を保持し且つ前記筐体７に固定するためのホルダ１０と、前記ヘリカルコイル９を覆うカバー１１により構成されている。
【００１９】
筐体７の背面Ｒ側を構成する外殻後部１２の上端部には、アンテナ８のホルダ１０とカバー１１の基端部が嵌まり込む凹部１３が形成され、その開口部が筐体７の長手方向に対して斜めに開口するように構成してある。
【００２０】
また、外殻後部１２の内壁面は、前面Ｆ側から背面Ｒ側へ向けてねじ１４が螺合可能なナット（ねじ穴）１５を仕込んだボス１６が設けてあり、Ｄはナット１５の中心を表している。
【００２１】
ホルダ１０は導電性材料により形成され、ボス１６端面に覆い被さるように凹部１３を突き抜け且つヘリカルコイル９とは反対に向きに突出する板状の延出部１７を有しており、当該延出部１７にねじ挿入孔１８を、ナット１５に相対するように穿設している。
【００２２】
カバー１１は、ヘリカルコイル９を覆うようにホルダ１０に外嵌され、ホルダ１０の長手方向中間部分の全周にわたって形成した溝１９にはＯリング２０が装着してあり、凹部１３とホルダ１０の間をシールするようになっている。
【００２３】
ホルダ１０の延出部１７は、ヘリカルコイル９の軸線Ａに対して斜めに延び、前記ボス１６端面に当接すると、ヘリカルコイル９の軸線Ａ（アンテナ８の先端）が筐体７の背面Ｒ側へ傾いた状態になる。
【００２４】
ねじ挿入孔１８の向きは、ホルダ１０を凹部１３に嵌め込んだときに、ねじ挿入孔１８の軸線Ｂが前記ボス１６端面と当接する延出部１７の平面Ｃに対して斜めに交差し（図４参照）、且つ延出部１７の長手方向に沿って設けられており、ねじ挿入孔１８のボス１６と反対側開口のうち延出部１７先端寄りの部位Ｐが、ナット１５開口内側に位置するように形成してある（図５の（ａ）参照）。
【００２５】
即ち、ねじ挿入孔１８の軸線Ｂは、延出部１７の平面Ｃに対して斜めに延びると共に、延出部１７の長手方向に沿って設けられているため、図４に示すように、ねじ挿入孔１８のボス１６と反対側開口のうち延出部先端寄り部位Ｐは、ねじ挿入孔１８のボス１６側開口のうち延出部先端寄り部位Ｑよりも延出部１７の根元側に位置することになる。
【００２６】
そして図５（ａ）に示すように、ねじ１４を締め付ける前の段階において、ねじ挿入孔１８のボス１６と反対側開口のうち延出部１７寄りの部位Ｐが、ナット１５開口のうち延出部１７の先端側部位Ｓよりαだけ内側に位置した状態となるように構成してある。
【００２７】
また、ねじ挿入孔１８の内径は、ナット１５の雌ねじ孔の内径よりも大きくしてあり、斜めに穿設されたねじ孔１８に対して真っ直ぐにねじ１４をナット１５に螺合することができるようにしてある。
【００２８】
その為、携帯無線機の組立時に、ホルダ１０の延出部１７を外殻後部１２の凹部１３に嵌め込んだうえ、ねじ挿入孔１８にねじ１４を通してボス１６に仕込んであるナット１５に螺合させると、ねじ１４の外周面がねじ挿入孔１８の延出部１７先端寄りの部位に押し付けられることになる。
【００２９】
この時、ねじの位置はナット１５により規制されるため、延出部１７をボス１６端面に沿わせながら筐体７の下端側へ向けて付勢する引き込み力が働き、ねじ挿入孔１８の部位Ｐは、移動量αでホルダ１０が下方へ移動し（図５の（ｂ）参照）、ホルダ１０が凹部１３に強固に嵌まり込むのでアンテナ８がぐらつかず、当該アンテナ８を筐体７に確実に固定できる。
【００３０】
これに加えて、凹部１３を筐体７の長手方向に対して斜めに開口させてあるため、携帯無線機使用時にヘリカルコイル９を利用者の頭部から離すことができ、電波の放射や受信特性の低下を抑制できる。
【００３１】
更に、ねじ１４自体を傾けないで外殻後部１２のナット１５に螺合させることができるため、組立時の作業性が損なわれず、また、ボス１６端面を斜めにする必要がなく、筐体７を構成する外殻後部１２の製作を容易に行なえる。
【００３２】
なお、本実施形態では、ねじ挿入孔１８の軸線Ｂは、ボス側が延出部先端側に向かって延び、ボスと反対側が延出部根元側に向かって延びる例を示したが、これとは逆に、ねじ挿入孔１８の軸線Ｂを、ボス側が延出部根元側に向かって延び、ボスと反対側が延出部先端側に向かって延びるようにしてもよく、この場合、ねじ挿入孔１８のボス側開口のうち延出部先端寄り部位Ｑは、ねじ挿入孔１８のボスと反対側開口のうち延出部先端寄り部位Ｐよりも延出部の根元側に位置することになるため、ねじ１４を締め付ける前の段階においては、ねじ挿入孔１８のボス側開口のうち延出部１７の先端寄り部位Ｑが、ナット１５開口のうち延出部１７の先端側部位Ｓよりもαだけ内側に位置した状態となるように構成すれば、ねじ１４の締め付け時に本実施形態と同様に引き込み力を発生させ、アンテナ８を凹部１３内に強固に固定することができる。
【００３３】
また、なお、本発明の携帯無線機は、上述した実施の形態のみに限定されるものではなく、本発明の要旨を逸脱しない範囲内において変更を加え得ることは勿論である。
【産業上の利用可能性】
【００３４】
本発明の携帯無線機は、様々な機種に適用することができる。
【図面の簡単な説明】
【００３５】
【図１】本発明の携帯無線機の実施の形態の一例の正面図である。
【図２】図１のＩＩ−ＩＩ矢視図である。
【図３】本発明の携帯無線機の実施の形態の一例におけるアンテナ付近の縦断面図である。
【図４】図３に関連するホルダの延出部の拡大図である。
【図５】図３に関連するねじ螺合前と後のホルダの延出部の位置変化を示す概念図である。
【図６】携帯無線機の一例の構成図である。
【符号の説明】
【００３６】
７    筐体
８    アンテナ
９    ヘリカルコイル
１０  ホルダ
１３  凹部
１５  ナット（ねじ穴）
１６  ボス
１７  延出部
１８  ねじ挿入孔
Ａ    軸線
Ｂ    軸線
Ｃ    平面
【図１】
2006094255.tif 000003
【図２】
2006094255.tif 000004
【図３】
2006094255.tif 000005
【図４】
2006094255.tif 000006
【図５】
2006094255.tif 000007
【図６】
2006094255.tif 000008